(57)【特許請求の範囲】
【請求項１】
レンズへ光線を第１の方向に入射させるための開口部を覆うことができるレンズバリアと、
開閉スイッチの操作に伴い、前記レンズバリアを前記第１の方向とは直交する第２の方向に開閉動作させるよう当該第２の方向にレバーピンを中心として回転動作が可能な作動部材と、
前記第１の方向を長手方向とし、前記作動部材を付勢する弾性部材とから成り、
前記弾性部材は、前記第１、第２の方向と直交する方向に、前記第２の方向にレバーピンを中心として回転する前記作動部材を付勢することにより、前記レンズバリアを開閉いずれかに固定することを特徴とするカメラ用手動レンズバリア。
【請求項２】
請求項１において、前記レンズバリアの動作は、ガイドレールを介した直線動作であることを特徴とするカメラ用手動レンズバリア。
【発明の詳細な説明】
【０００１】
【発明の属する技術分野】
本発明は、スチルカメラ及びビデオカメラ等用の手動レンズバリア機構に関するものである。
【０００２】
【従来の技術】
図４（ａ）に、従来例によるビデオカメラのレンズバリア機構ユニットの一例の外観図、図４（ｂ）に、そのレンズバリア機構の開閉動作説明図を示す。
【０００３】
図４（ａ），（ｂ）において、１００１は、レンズの近傍を覆うレンズカバー、１００２は、レンズバリア１００４を開閉する開閉スイッチの摺動部、１００３は、レンズへ光線を入射させるための開口部、１００４は、レンズバリア部材、１００５は、レンズバリアを開閉するための開閉スイッチ、１００６は、前記開閉スイッチ１００５の動きをレンズバリアに伝えるためのスイッチガイドであり、開閉スイッチ１００５とは、嵌め込み、ビス止め等で連結されている（図示せず）。
【０００４】
また、１００７は、レンズバリア部材１００４に圧入されたガイドピン、１００８は、レンズカバー１００１から一体に配置された回転中心軸、１００９は、同様にレンズカバー１００１から一体に配置されたばね固定ピン、１０１０は、レンズバリアを動作させるトーションばね、１０１１は、レンズバリア部材１００４右端の動作軌跡、１０１２は、レンズバリア部材１００４に設置されたばね固定穴であり、紙面表側に曲げられたトーションばねの先端が引掛かっている。
次に、図４（ｂ）により、レンズバリア開閉の動作を説明する：
同（ｂ）図において、実線で示されたものがレンズバリア閉状態、２点鎖線で示されたものが開状態をそれぞれ示す。まず閉状態においては、トーションばね１０１０がばね固定穴１０１２を介して、レンズバリア部材１００４を閉じる方向にトルクを及ぼしている。
【０００５】
この状態から、開閉スイッチ１００５を上へ押し上げると、スイッチガイド１００６が上方向に移動し、ガイドピン１００７を介してレンズバリア部材１００４を開く方向へ回転させる。このとき、開く手前において、トーションばね１０１０は、（ｂ）図のように、レンズバリア部材１００４を開く方向へとトルクの方向が切り替わる。
【０００６】
以上の動作により、開閉スイッチ１００５を操作することにより、あるポイントを境にして、開または閉方向にばね力が反転して加わり、レンズバリア部材１００４を開閉いずれかの状態に固定することができるよう構成されていた。
【０００７】
【発明が解決しようとする課題】
しかしながら、上記従来例にあっては、以下のような問題点があった：
（１）前記トーションばね１０１０は、巻数分、厚み方向にスペースが必要であると共に、反転動作により、コイル部が移動するための面積分までもスペースが必要であった。
【０００８】
（２）前記レンズバリア機構では、レンズバリア部材１００４の回転機構により開閉を行っているので、図４（ｂ）に示すレンズバリア動作軌跡１０１１により、レンズカバー１００１の幅方向にデッドスペースが生じてしまう。
【０００９】
本発明は、以上のような局面にかんがみてなされたもので、この種のレンズバリア部材開閉用の垂直方向及び幅方向共の動作デッドスペースの僅少な開閉機構に係るカメラ用手動レンズバリアの提供を目的としている。
【００１０】
【課題を解決するための手段】
このため、本発明は、下記（１）又は（２）項のいずれかに示す手動レンズバリア機構を提供することにより、前記目的を達成しようとするものである：
（１）レンズへ光線を第１の方向に入射させるための開口部を覆うことができるレンズバリアと、開閉スイッチの操作に伴い、前記レンズバリアを前記第１の方向とは直交する第２の方向に開閉動作させるよう当該第２の方向にレバーピンを中心として回転動作が可能な作動部材と、前記第１の方向を長手方向とし、前記作動部材を付勢する弾性部材とから成り、前記弾性部材は、前記第１、第２の方向と直交する方向に、前記第２の方向にレバーピンを中心として回転する前記作動部材を付勢することにより、前記レンズバリアを開閉いずれかに固定することを特徴とするカメラ用手動レンズバリア。
（２）前記（１）において、前記レンズバリアの動作は、ガイドレールを介した直線動作であることを特徴とするカメラ用手動レンズバリア。
【００１４】
【作用】
以上のような本発明構成により、それぞれ下記のような作用効果が得られる。
（１）レンズバリアの開閉動作面に対して、略垂直方向にレンズバリア動作用板ばね部材を配置し、レンズバリア動作用レバーに対して、レンズバリアの動作平面と略平行方向にばね力を与えて、レンズバリアを反転動作させることにより、垂直方向のデッドスペースが減少し、カメラをより薄型化し得る。
【００１５】
（２）また、レンズバリアの動作を、ガイドレールを介した直線動作とすることにより、幅方向のデッドスペースが減少し、カメラを小型化し得る。
【００１６】
【発明の実施の形態】
以下に、本発明の実施の形態を、好適な一実施例に基づき、図面を参照して詳細に説明する。
【００１７】
【実施例】
図１，２，３に、本発明に係る一実施例の説明図を示す。図１は、本実施例によるレンズバリア機構の分解構成斜視図、図２は、図１のレンズバリア機構の動作説明図、図３は、図２のＡ−Ａ断面図である。
【００１８】
（構成）
図１〜３において、１０１は、レンズの近傍を覆うレンズカバー、１０２はレンズバリア部材１０４を開閉する開閉スイッチの摺動部、１０３は、レンズへ光線を入射させるための開口部、１０４は、金属板で製作されたレンズバリア部材で、図１に示すように、裏側へガイド用のガイドピン１０９を２本圧入してある。更に、図１の表側には、摺動用のエンボス加工がなされている（５個）。
【００１９】
１０５は、レンズバリア１０４を開閉するための開閉スイッチ、１０６は、前記開閉スイッチ１０５の動きをレンズバリアに伝えるためのスイッチガイドであり、図３のように、爪によるはめ込みで、開閉スイッチ１０５と連結されている。１０７は、レンズバリア部材が摺動するベース部材で、金属板である。
【００２０】
また、１０８は検出スイッチであり、バリアが閉じた状態にてオンするように構成されており、バリア開閉によりビデオの電源、一時停止、スタンバイ等のオン／オフに利用される。このスイッチは、後述するホルダ１１９とレール１１０とに挟まれる形で、レンズカバー１０１に固定される。
【００２１】
１１０は、レンズバリア部材１０４をガイドするレールであり、図３の右端部に示すように、レンズバリア部材１０４を厚み方向と左右方向に規制し、上下にスライドするようにガイドされている。また、左右のガイドに関しては、図１で明らかなように、レール１１０の右側ガイドが短いため、左側にレール溝１２２を設け、前記ガイドピン１０９（２個）をこの溝１２２に嵌合させることにより、レンズバリア部材１０４の左右規制を確実にしている。
【００２２】
１１１は金属板で作製された作動部材としてのレバーであり、図１のように、左右中心３ケ所にそれぞれ図のような形状のレバーピン１１２，１１３，１１４が圧入されている。更に、レバーピン１１４の内側には、レバーリング１１５が嵌合して取り付けられており、抜け防止に、切り込みワッシャ１１６が取り付けられている（詳細構成は図３参照）。また、レバーピン１１３は、図１に示すように、段付きフランジとなっており、レンズバリア部材１０４の左下長穴部に嵌合し、摺動することにより、レバー１１１の回転動作を、レンズバリア１０４の直進動作に変換する。
【００２３】
１１９は、前記レバー１１１を固定するホルダであり、前記レバーピン１１２が中心の穴に通され、切り込みワッシャ１１６にて回動可能な状態で固定されている。また、１１８は、Ｕの字形状の弾性部材としての板ばねであり、図３に示すように、爪と穴のはめ込み嵌合でホルダ１１９へ固定され、レバーリング１１５を介し、レバー１１１に対して常に水平方向へばね力を加えている。
【００２４】
以上の部品は、図１のような構成により、ホルダ１１９，レール１１０に挟み込まれ、５本のビス１１７により固定される。なお、ホルダ１１９，レール１１０は、組み立て作業性を考慮し、予め１本のビス１１７（手前側から入れるビス）により仮固定されている。
【００２５】
１２０はレンズユニットであり、撮像のためのレンズ群を有するもので、光軸は、紙面垂直方向である。また、１２１は、光線経路を９０度曲げるためのプリズムであり、図示のような向きに設置することにより、レンズユニット１２０を縦に配置可能な構成になっている。
【００２６】
（動作）
次に、図２，３を用いてレンズバリアの開閉動作を説明する：
図２において、実線で示されたものがレンズバリア閉状態、２点鎖線で示されたものが開状態である。まず閉状態においては、板ばね１１８が、レバー１１１に対して常に紙面右側方向に力を与えているので、レンズバリア１０４は閉じる方向に力がかかっている。この状態から開閉スイッチ１０５を上へ押し上げると、スイッチガイド１０６が上方向に動作し、レンズバリア１０４は、レバー１１１を介して開く方向へスライドして行く。このときスライドストロークの中心近傍で、板ばね１１８は、図示のように、レンズバリア１０４を閉じる方向へ力が切り替わる。
【００２７】
以上の動作により、開閉スイッチ１０５の操作で、あるポイントを境にして開または閉方向にばね力が反転して加わり、レンズバリア部材１０４を開閉いずれかに固定することができる。
【００２８】
【発明の効果】
以上説明したように、本発明によれば、以下のような効果を得ることができる：
（１）レンズバリアの開閉動作面に対して、略垂直方向にレンズバリア動作用板弾性部材を配置し、レンズバリア動作用レバーに対して、レンズバリアの略動作平面方向に弾性力を与えることにより、レンズバリアを反転動作させた。これによりＬ字型のユニット構成となり、レンズバリア面に対して垂直方向の少ないデッドスペースに、レンズバリア機構を設置することができる。よって、より薄型のスチルカメラ，ビデオカメラ等が実現できる。
【００２９】
（２）レンズバリアの動作を、ガイドレールを介した直線動作としたため、回転動作と比較して、幅方向のデッドスペースがなくなり、より小さなスチルカメラ，ビデオカメラ等が実現できる。
【図面の簡単な説明】
【図１】  実施例のレンズバリア機構の分解構成斜視図
【図２】  実施例のレンズバリア機構の動作説明図
【図３】  実施例の図２のＡ−Ａ断面図
【図４】  （ａ）従来例のビデオカメラのレンズバリア機構ユニット外観図、（ｂ）開閉動作説明図
【符号の説明】
１０１  レンズカバー
１０２  開閉スイッチ摺動部
１０３  レンズ開口部
１０４  レンズバリア部材
１０５  開閉スイッチ
１０６  スイッチガイド
１０７  ベース部材
１０８  検出スイッチ
１０９  バリアガイドピン
１１０  レール
１１１  レバー
１１２  レバーピン（中心）
１１３  レバーピン（バリア側）
１１４  レバーピン（板ばね側）
１１５  レバーリング
１１６  切り込みワッシャ
１１７  ビス
１１８  板ばね
１１９  ホルダ
１２０  レンズユニット
１２１  プリズム
１２２  レール溝
１００１  レンズカバー
１００２  開閉スイッチ摺動部
１００３  レンズ開口部
１００４  レンズバリア部材
１００５  開閉スイッチ
１００６  スイッチガイド
１００７  ガイドピン
１００８  回転中心軸
１００９  ばね固定ピン
１０１０  トーションばね
１０１１  レンズバリア動作軌跡
１０１２  ばね固定穴
【図１】
0004143159.tif 000002
【図２】
0004143159.tif 000003
【図３】
0004143159.tif 000004
【図４】
0004143159.tif 000005